(57)【要約】本発明は、Ａ）〔平均層厚さが５から２０ｎｍの間であるポリ尿素および／またはポリウレタンからなるシェルと、カプセル充填物としての少なくとも１種類の浸透促進剤と、および場合により添加剤とを有する〕マイクロカプセルの粒子状分散相、ならびにＢ）〔少なくとも１種類の固体の農芸化学活性物質と、添加剤と、水と、および場合により周囲温度で液体である１種類以上の農芸化学活性物質とを含有する〕懸濁液とからなる新規なマイクロカプセル製剤に関する。本発明は、前記マイクロカプセル製剤の製造方法および農芸化学物質を適用するためのその使用にも関する。【特許請求の範囲】
【請求項１】
マイクロカプセル製剤であって、
上記製剤は、
Ａ）マイクロカプセルの粒子状分散相、および
Ｂ）懸濁液
からなり、
上記マイクロカプセルの粒子状分散相は、
・５から２０ｎｍの間の平均層厚さを有するポリ尿素および／またはポリウレタンの被膜を有し、
・−少なくとも１種類の浸透剤、および
−適切である場合、添加剤
をカプセル充填剤として含み、
上記懸濁液は、
・少なくとも１種類の固体農芸化学活性化合物、
・添加剤、
・水、および
・適切である場合、室温で液体である１種またはそれ以上の農芸化学化合物
を含む
前記製剤。
【請求項２】
請求項１に記載のマイクロカプセル製剤を製造する方法であって、
ａ）第一のステップにおいて、
・少なくとも１種類の浸透剤と、
・脂肪族イソシアネート、芳香族イソシアネート、脂環式イソシアネートおよび／または式
【化１】
2005527608.tif 000010
のイソシアネートの群からの少なくとも１種類のポリイソシアネートと、および
・適切である場合、添加剤と
の混合物を、
・１種類以上の保護コロイドと、
・水と、および
・適切である場合、１種類以上の乳化剤と
の水相中に分散させること、
ｂ）第２のステップにおいて、少なくとも１種類のジアミン、ポリアミン、ジアルコール、ポリアルコールおよび／またはアミノアルコールを、得られた混合物に加えること、および
ｃ）第３のステップにおいて、適切である場合、液相のすべてまたは一部から得られたマイクロカプセル分散体を取り出し、続いて、
・少なくとも１種類の固体農芸化学活性化合物と、
・添加剤と、および
・適切である場合、室温で液体である１種類以上の農芸化学活性化合物と
の懸濁液
とともに撹拌すること、
を含むことを特徴とする、前記方法。
【請求項３】
含有する農芸化学活性化合物を植物および／またはそれらの環境に適用するための、請求項１に記載のマイクロカプセル製剤の使用。
【請求項４】
・５から２０ｎｍの間の平均層厚さを有するポリ尿素および／またはポリウレタンの被膜と、
・カプセル充填物として、
−少なくとも１種類の浸透剤と、および
−適切である場合、添加剤とを、
適切である場合、
・１種類以上の希釈剤および／または
・添加剤
との混合物として有するマイクロカプセル内容物
を特徴とする、マイクロカプセル調製品。
【請求項５】
植物処理組成物の有効性を向上させるための、請求項４に記載のマイクロカプセル調製品の使用。
【発明の詳細な説明】
【技術分野】
【０００１】
本発明は、新規なマイクロカプセル製剤、それらの調製方法および農芸化学活性化合物の適用のためのそれらの使用に関する。
【背景技術】
【０００２】
農芸化学活性化合物のすぐ使用可能な噴霧混合物を浸透剤または浸透剤配合物で処理し、続いてこれらの混合物を適用することによって、農芸化学活性化合物の生物活性が増大することは既に知られている。しかし、この方法の欠点は、適用直前に成分を混合する必要があることである。これは、製剤中での浸透剤の均一な分散が常に実現されるわけではないことを意味する。さらに、成分の正確な計量供給が複雑になる。
【０００３】
さらに、農芸化学活性化合物および従来の添加剤以外に、製剤中に浸透剤を含む植物処理組成物も既に開示されている。しかし、この種の製剤は、実際の使用には安定性が不十分であることが多い。したがって、多くの場合に、かなりの量の活性化合物の結晶の形成が確認され、これによって、噴霧混合物使用に悪影響が生じるか、または実際に使用が不可能になる。
【発明の開示】
【０００４】
マイクロカプセル製剤であって、
上記製剤は、
Ａ）マイクロカプセルの粒子状分散相、および
Ｂ）懸濁液
からなり、
上記マイクロカプセルの粒子状分散相は、
・５から２０ｎｍの間の平均層厚さを有するポリ尿素および／またはポリウレタンの被膜を有し、
・−少なくとも１種類の浸透剤、および
−適切である場合、添加剤
をカプセル充填剤として含み、
上記懸濁液は、
・少なくとも１種類の固体農芸化学活性化合物、
・添加剤、
・水、および
・適切である場合、室温で液体である１種またはそれ以上の農芸化学化合物
を含む
前記製剤を見いだした。
【０００５】
さらに、本発明によるマイクロカプセル製剤は、
ａ）第一のステップにおいて、
・少なくとも１種類の浸透剤と、
・脂肪族イソシアネート、芳香族イソシアネート、脂環式イソシアネートおよび／または式
【０００６】
【化２】
2005527608.tif 000002
のイソシアネートの群からの少なくとも１種類のポリイソシアネートと、および
・適切である場合には、添加剤と
の混合物を、
・１種類以上の保護コロイドと、
・水と、および
・適切である場合、１種類以上の乳化剤と
の水相中に分散させること、
ｂ）第２のステップにおいて、少なくとも１種類のジアミン、ポリアミン、ジアルコール、ポリアルコールおよび／またはアミノアルコールを、得られた混合物に加えること、
ｃ）第３のステップにおいて、適切である場合、液相のすべてまたは一部から得られたマイクロカプセル分散体を取り出し、続いて、
・少なくとも１種類の固体農芸化学活性化合物と、
・添加剤と、および
・適切である場合、室温で液体である１種類以上の農芸化学活性化合物との懸濁液とともに撹拌すること
によって調製可能であることも発見した。
【０００７】
さらに、本発明によるマイクロカプセル製剤は、存在する農芸化学活性化合物を植物および／またはそれらの環境に適用するのに非常に好適であることが分かった。
【０００８】
最後に、
・５および２０ｎｍの間の平均層厚さを有するポリ尿素および／またはポリウレタンの被膜と、
・カプセル充填物として、
−少なくとも１種類の浸透剤と、および
−適切である場合、添加剤とを、
適切である場合、
・１種類以上の希釈剤および／または
・添加剤との混合物として、
有するマイクロカプセル製剤が、植物処理組成物の有効性を向上させるのに非常に好適であることが分かった。
【０００９】
驚くべきことに、本発明によるマイクロカプセル製剤は、浸透剤が存在しない対応する活性化合物懸濁液よりも、存在する農芸化学活性化合物のバイオアベイラビリティーが顕著に優れ迅速であることを示す。従来技術によれば、透過剤は製剤中で自由に利用できる場合にのみ完全に活性となると考えられていた。しかし予想とは反対に、マイクロカプセル化された浸透剤でも、農芸化学活性化合物のバイオアベイラビリティーを同程度まで増加させることが可能である。
【００１０】
本発明によるマイクロカプセル製剤は、一連の利点を特徴とする。すなわち、マイクロカプセル化された浸透剤と活性化合物と懸濁液の生成物の組み合わせは、すぐに使用可能な形態で製造業者によって容易に販売することができる。使用直前にタンク混合物の困難な調製は必要ではない。別の利点は、本発明によるマイクロカプセル製剤が、実施条件下で保管しても安定であることである。
【００１１】
本発明によるマイクロカプセル製剤は、分散相中にマイクロカプセルが存在すること、および懸濁液が含む成分において特徴がある。
【００１２】
本発明による製剤中のマイクロカプセルの被膜は、ポリ尿素および／またはポリウレタンであり、これらは１種類以上のポリイソシアネートを、ジアミン、ポリアミン、ジアルコール、ポリアルコールおよび／またはアミノアルコールと反応させることによって作成される。
【００１３】
好適なイソシアネートは、脂肪族、脂環式および芳香族の、ジイソシアネートまたはポリイソシアネート、ならびに式
【００１４】
【化３】
2005527608.tif 000003
のイソシアネートである。
【００１５】
挙げることができる例は、
ヘキサン１，６−ジイソシアネート、
４，４’−メチレン−ビス−シクロヘキシルイソシアネート、
トルイレンジイソシアネート、
式（Ｉ）の２Ｈ−１，３，５−オキサジアジン−２，４，６−（３Ｈ，５Ｈ）−トリオン−３，５−ビス−（６−イソシアナト−ヘキサ−１−イル）、
ジフェニルメタンジイソシアネート、ならびにそれらの異性体および官能基数がより多い同族体である。
【００１６】
反応物質として好適なアミンは、好ましくは、脂肪族および脂環式の第１級および第２級のジアミンおよびポリアミンである。挙げることができる例は、
１，２−ジアミノエタン、ジエチレントリアミン、トリエチレンテトラミン、ビス−（３−アミノプロピル）−アミン、ビス−（２−メチルアミノエチル）メチルアミン、１，４−ジアミノシクロヘキサン、３−アミノ−１−メチルアミノプロパン、Ｎ−メチル−ビス−（３−アミノプロピル）アミン、１，４−ジアミノ−ｎ−ブタン、１，６−ジアミノ−ｎ−ヘキサンおよび炭酸グアニジンである。
【００１７】
好ましくは前述のイソシアネートと水との反応によって形成されるアミンも好ましい。
【００１８】
反応物質として好適なアルコールは、好ましくは、第１級および第２級の脂肪族のジアルコールまたはポリアルコールである。挙げることができる例は、
エタンジオール、１，２−プロパンジオール、１，３−プロパンジオール、１，４−ブタンジオール、１，５−ペンタンジオール、１，６−ヘキサンジオール、グリセロールおよびジエチレングリコールである。
【００１９】
反応物質としてさらに好ましいものは、トリエタノールアミンなどの脂肪族アミノアルコールである。
【００２０】
本発明による製剤のマイクロカプセル中に存在する好適な浸透剤は、植物中への農芸化学物質の浸透を向上させることができるあらゆる従来の物質である。以下のものが好ましく好適である：鉱油、植物油、植物油のエステル、酸部分中に１０から２０個の炭素原子およびアルコール部分中に１から１０個の炭素原子を有する脂肪酸エステル、酸部分中に４から１２個の炭素原子およびアルコール部分中に１から８個の炭素原子を有する飽和または不飽和のジカルボン酸のエステル、各アルコール部分中に１から８個の炭素原子を有する芳香族ジカルボン酸のエステル、ならびにアルカノールアルコキシレート。
【００２１】
挙げることができる浸透剤の例は、
鉱油、
ナタネ油、ヒマワリ油、トウモロコシ油、アマニ油、カブラナタネ油、オリーブ油、綿実油、
ナタネ油メチルエステル、ナタネ油エチルエステル、カブラナタネ油メチルエステル、カブラナタネ油エチルエステル、
ラウリン酸エチルヘキシル、
コハク酸ジブチル、アジピン酸ジブチル、フタル酸ジブチル、および式
Ｒ−Ｏ−（ＡＯ）ｍ−Ｒ１      （Ｉ）
（上式中、
Ｒは、４から２０個の炭素原子を有する直鎖または分岐のアルキルまたはアルキレンを表し、
ＡＯは、エチレンオキシド基、プロピレンオキシド基、ブチレンオキシド基、あるいはエチレンオキシドおよびプロピレンオキシド基またはブチレンオキシド基の混合物を表し、
ｍは、１から３０の数を表し、
Ｒ１は、水素、または１から４個の炭素原子を有するアルキルを表す。）
のアルカノールアルコキシレートである。
【００２２】
浸透剤の特に好ましい群は、下記式のアルカノールアルコキシレートである。
【００２３】
【化４】
2005527608.tif 000004
（上式中、
Ｒは前述の意味を有し、
ＥＯは−ＣＨ２−ＣＨ２−Ｏ−を表し、
ＰＯは、
【００２４】
【化５】
2005527608.tif 000005
を表し、
ｐは０から３の数を表し、
ｑは１から６の数を表し、
Ｒ１は、水素、メチル、エチル、ｎ−プロピル、ｉ−プロピルまたはｎ−ブチル、ｉ−ブチルを表す。）
【００２５】
浸透剤のさらに特に好ましい群は、下記式のアルカノールアルコキシレートである。
Ｒ−Ｏ−（−ＰＯ−）ｒ−（ＥＯ−）ｓ−Ｒ１      （Ｉｂ）
（上式中、
Ｒは前述の意味を有し、
ＥＯは−ＣＨ２−ＣＨ２−Ｏ−を表し、
ＰＯは、
【００２６】
【化６】
2005527608.tif 000006
を表し、
ｒは１から６の数を表し、
ｓは１から３の数を表し、
Ｒ１は、メチル、エチル、ｎ−プロピル、ｎ−ブチルまたは水素を表す。）
【００２７】
浸透剤のさらに特に好ましい群は、下記式のアルカノールアルコキシレートである。
ＣＨ３−（ＣＨ２）ｔ−ＣＨ２−Ｏ−（−ＣＨ２−ＣＨ２−Ｏ−）ｕ−Ｒ１  （Ｉｃ）
（上式中
ｔは８から１３の数を表し、
ｕは０から３の数を表し、
Ｒ１は、水素、メチル、エチル、ｎ−プロピルまたはｎ−ブチルを表す。）
【００２８】
上記式において、
Ｒは、好ましくはブチル、ｉ−ブチル、ｎ−ペンチル、ｉ−ペンチル、ネオペンチル、ｎ−ヘキシル、ｉ−ヘキシル、ｎ−オクチル、ｉ−オクチル、２−エチル−ヘキシル、ノニル、ｉ−ノニル、デシル、ｎ−ドデシル、ｉ−ドデシル、ラウリル、ミリスチル、ｉ−トリデシル、トリメチルノニル、パルミチル、ステアリルまたはエイコシルを表す。
【００２９】
式（Ｉｂ）のアルカノールアルコキシレートの例として、下記式の２−エチルヘキシルアルコキシレートを挙げることができる。
【００３０】
【化７】
2005527608.tif 000007
（上式中、
ＥＯは−ＣＨ２−ＣＨ２−Ｏ−を表し、
ＰＯは、
【００３１】
【化８】
2005527608.tif 000008
を表し、
数６および３は平均である。）
【００３２】
式（Ｉｃ）の特に好ましいアルカノールアルコキシレートは、この式中、
ｔが９から１２の数を表し、
ｕが０から３の数を表す、
化合物である。
【００３３】
これらのアルカノールアルコキシレートは、上記式による一般的な用語で定義される。これらの物質は、上述の種類の異なる鎖長の材料の混合物である。このことが、計算される指数が平均である理由であり、このため整数以外にもなりうる。
【００３４】
挙げることができる例は、式中の、
ｔが平均値１０．５を表し、
ｕが平均値３．０を表し、
Ｒ１がメチルを表す、
式（Ｉｃ）のアルカノールアルコキシレートである。
【００３５】
上述の式のアルカノールアルコキシレートは公知であるか、または公知の方法（国際公開第９８／３５５５３号パンフレット、国際公開第００／３５２７８号パンフレット、および欧州特許第０  ６８１  ８６５号明細書）によって調製することができる。
【００３６】
本発明による製剤のマイクロカプセル中に存在することができる好適な添加剤は、乳化剤および不活性有機溶媒である。
【００３７】
好ましくは、好適な乳化剤は、陰イオン性または中性の乳化剤である。挙げることができる例は、スチリルフェノールアルコキシレートである。
【００３８】
存在することができる不活性有機溶媒は、好ましくは、芳香族炭化水素、たとえばトルエン、キシレンまたはソルベッソ（Ｓｏｌｖｅｓｓｏ）（登録商標）である。
【００３９】
本発明による製剤中、マイクロカプセル以外に存在する懸濁液は、室温で固体である１種類以上の農芸化学活性化合物を含む。農芸化学活性化合物は、本発明の状況では、殺真菌剤、殺菌剤、殺虫剤、殺ダニ剤、殺線虫剤、軟体動物駆除剤、除草剤および植物成長調整剤を意味するものと理解されたい。
【００４０】
殺真菌剤の例としては、
２−アニリノ−４−メチル−６−シクロプロピルピリミジン；２’，６’−ジブロモ−２−メチル−４’−トリフルオロメトキシ−４’−トリフルオロメチル−１，３−チアゾール−５−カルボキサニリド；２，６−ジクロロ−Ｎ−（４−トリフルオロメチルベンジル）ベンズアミド；（Ｅ）−２−メトキシイミノ−Ｎ−メチル−２−（２−フェノキシフェニル）−アセトアミド；８−ヒドロキシキノリン硫酸塩；（Ｅ）−２−｛２−［６−（２−シアノフェノキシ）−ピリミジン−４−イルオキシ］フェニル｝−３−メトキシアクリル酸メチル；（Ｅ）−メトキシイミノ［α−（ｏ−トリルオキシ）−ｏ−トリル］酢酸メチル；２−フェニルフェノール（ＯＰＰ）、アンプロピルホス、アニラジン、アザコナゾール、ベナラキシル、ベノダニル、ベノミル、ビナパクリル、ビフェニル、ビテルタノール、ブラスチシジン−Ｓ、ブロムコナゾール、ブピリメート、ブチオベート、
カルシウムポリスルフィド、カプタホル、カプタン、カルベンダジム、カルボキシン、キノメチオネート、クロロネブ、クロロピクリン、クロロタロニル、クロゾリネート、クフラネブ、シモキサニル、シプロコナゾール、シプロフラム、カルプロパミド、ジクロロフェン、
ジクロブトラゾール、ジクロフルアニド、ジクロメジン、ジクロラン、ジエトフェンカルブ、ジフェノコナゾール、ジメチリモール、ジメトモルフ、ジニコナゾール、ジノカップ、ジフェニルアミン、ジピリチオン、ジタリムホス、ジチアノン、ドジン、ドラゾキソロン、
エポキシコナゾール、エチリモール、エトリジアゾール、
フェナリモル、フェンブコナゾール、フェンフラム、フェニトロパン、フェンピクロニル、フェンチンアセタート、フェンチンヒドロキシド、ファーバム、フェリムゾン、フルアジナム、フルジオキソニル、フルオロミド、フルキンコナゾール、フルシラゾール、フルスルファミド、フルトラニル、フルトリアフォル、ホルペット、ホセチル−アルミニウム、フサライド、フベリダゾール、フララキシル、フルメシクロックス、フェンヘキサミド、グアザチン、
ヘキサクロロベンゼン、ヘキサコナゾール、ヒメキサゾール、イマザリル、イミベンコナゾール、イミノクタジン、イプロベンホス（ｉｂｐ）、イプロジオン、イソプロチオラン、イプロバリカルブ、
カスガマイシン、
マンコッパー、マンコゼブ、マンネブ、メパニピリム、メプロニル、メタラキシル、メトコナゾール、メタスルホカルブ、メトフロキサム、メチラム、メトスルフォバックス、ミクロブタニル、
ジメチルジチオカルバミン酸ニッケル、ニトロタル−イソプロピル、ヌアリモル、
オフレース、オキサジキシル、オキサモカルブ、オキシカルボキシン、
ペフラゾエート、ペンコナゾール、ペンシクロン、ホスダイフェン、ピマリシン、ピペラリン、ポリオキシン、プロベナゾール、プロクロラズ、プロシミドン、プロパモカルブ、プロピコナゾール、プロピネブ、ピラゾホス、ピリフェノックス、ピリメタニル、ピロキロン、
キントゼン（ＰＣＮＢ）、キノキシフェン、
テブコナゾール、テクロフタラム、テクナゼン、テトラコナゾール、チアベンダゾール、チシオフェン、チオファネート−メチル、チラム、トクロホス−メチル、トリルフルアニド、トリアジメホン、トリアジメノール、トリアゾキシド、トリクラミド、トリシクラゾール、トリフルミゾール、トリフォリン、トリチコナゾール、トリフロキシストロビン、
バリダマイシンＡ、ビンクロゾリン、
ジネブ、ジラム、
２−［２−（１−クロロシクロプロピル）−３−（２−クロロフェニル）−２−ヒドロキシプロピル］−２，４−ジヒドロ−［１，２，４］−トリアゾール−３−チオン、
３−（１−［２−（４−［２−クロロフェノキシ］−５−フルオロピリミド−６−イルオキシ）−フェニル］−１−（メトキシイミノ）−メチル］−５，６−ジヒドロ−１，４，２−ジオキサジン、および
Ｎ−メチル−２−（２−［６−（３−クロロ−２−メチルフェノキシ）−５−フルオロピリミド−４−イルオキシ］フェニル）−２−メトキシイミノアセトアミドが挙げられる。
【００４１】
挙げることができる殺菌剤の例は、
ブロノポル、ジクロロフェン、ニトラピリン、オクチリノン、フランカルボン酸、オキシテトラサイクリン、プロベナゾール、テクロフタラムである。
【００４２】
挙げることができる殺虫剤、殺ダニ剤および殺線虫剤の例は、
アバメクチン、アセフェート、アセタミプリド、アクリナトリン、アラニカルブ、アルジカルブ、アルファメトリン、アミトラズ、アベルメクチン、ＡＺ  ６０５４１、アザジラクチン、アジンホスＡ、アジンホスＭ、アゾシクロチン、４−ブロモ−２−（４−クロロフェニル）−１−（エトキシメチル）−５−（トリフルオロメチル）−１Ｈ−ピロール−３−カルボニトリル、ベンジオカルブ、ベンフラカルブ、ベンスルタップ、β−シフルトリン、ビフェントリン、ＢＰＭＣ、ブロフェンプロクス、ブロモホスＡ、ブフェンカルブ、ブプロフェジン、ブトカルボキシン、ブチルピリダベン、カズサホス、カルバリル、カルボフラン、カルボフェノチオン、カルボスルファン、カルタップ、クロエトカルブ、クロルエトキシフォス、クロルフルアズロン、クロルメホス、Ｎ−［（６−クロロ−３−ピリジニル）−メチル］−Ｎ’−シアノ−Ｎ−メチルエタンイミドアミド、クロルピリホス、クロルピリホスＭ、ｃｉｓ−レスメトリン、クロシトリン、クロフェンテジン、シアノホス、シクロプロトリン、シフルトリン、シハロトリン、シヘキサチン、シペルメトリン、シロマジン、クロチアニジン、
デルタメトリン、デメトン−Ｍ、デメトン−Ｓ、デメトン−Ｓ−メチル、ジアフェンチウロン、ダイアジノン、ジクロフェンチオン、ジクロルボス、ジクリホス、ジクロトポス、ジエチオン、ジフルベンズロン、ジメトエート、ジメチルビンホス、ジオクサチオン、
エマメクチン、エスフェンバレレート、エチオフェンカルブ、エトフェンプロックス、エトプロホス、
フェナミホス、フェナザキン、酸化フェンブタスズ、フェノブカルブ、フェノチオカルブ、フェノキシカルブ、フェンプロパトリン、フェンピラド、フェンピロキシメート、フェンバレレート、フィプロニル、フルアズロン、フルシクロクスロン、フルシトリネート、フルフェノクスロン、フルフェンプロックス、フルバリネート、ホノホス、ホルモチオン、ホスチアゼート、フブフェンプロックス、フラチオカルブ、
ＨＣＨ、ヘプテノホス、ヘキサフルムロン、ヘキシチアゾックス、
イミダクロプリド、イプロベンホス、イサゾホス、イソフェンホス、イソプロカルブ、イソキサチオン、イベルメクチン、λ−シハロトリン、ルフェヌロン、
メカルバム、メビンホス、メスルフェンホス、メタアルデヒド、メタクリホス、メタミドホス、メチダチオン、メチオカルブ、メトミル、メトルカルブ、ミルベメクチン、モノクロトホス、モキシデクチン、
ナレド、ＮＣ  １８４、ニテンピラム、
オキサミル、オキシデプロホス、
ペルメトリン、ホサロン、ホスメット、ホスファミドン、ピリミカーブ、プロフェノホス、プロメカルブ、プロパホス、プロポキスル、プロチオホス、プロトエート、ピメトロジン、ピラクロホス、ピリダフェンチオン、ピレスメトリン、ジョチュウギク、ピリダベン、ピリミジフェン、ピリプロキシフェン、キナルホス、
サリチオン、セブホス、シラフルオフェン、スルホテップ、
テブフェノジド、テブフェンピラド、テブピリミホス、テフルベンズロン、テフルトリン、テメホス、テルバム、テトラクロルビンホス、チアクロプリド、チアフェノックス、チアメトキサム、チオジカルブ、チオファノックス、チオメトン（ｔｈｉｏｍｅｔｈｏｎ）、スリンジエンシン（ｔｈｕｒｉｎｇｉｅｎｓｉｎ）、トラロメトリン、トランスフルトリン、トリアラテン（ｔｒｉａｒａｔｈｅｎ）、トリアズロン（ｔｒｉａｚｕｒｏｎ）、トリクロルホン、トリフルムロン、トリメタカルブ、バミドチオン、ＸＭＣ、キシリルカルブ、ゼータメトリン（ｚｅｔａｍｅｔｈｒｉｎ）である。
【００４３】
挙げることができる軟体動物駆除剤の例は、メタアルデヒドおよびメチオカルブである。
【００４４】
挙げることができる除草剤の例は、
アニリド類、たとえば、ジフルフェニカンおよびプロパニル；アリールカルボン酸、たとえば、ジクロロピコリン酸、ジカンバおよびピクロラム；アリールオキシアルカン酸、たとえば２，４−Ｄ、２，４−ＤＢ、２，４−ＤＰ、フルオキシピル、ＭＣＰＡ、ＭＣＰＰおよびトリクロピル；アリールオキシフェノキシアルカン酸エステル、たとえば、ジクロホップ−メチル、フェノキサプロップ−エチル、ハロキシホップ−メチルおよびキザロホップ−エチル；アジノン類、たとえば、クロリダゾンおよびノルフラゾン；カルバメート類、たとえば、クロルプロファム、デスメディファム、フェムネジファム（ｐｈｅｍｎｅｄｉｐｈａｍ）およびプロファム；クロロアセトアニリド類、たとえば、アラクロール、メタザクロール、プレチラクロールおよびプロパクロール；ジニトロアニリン類、たとえば、オリザリン、ペンディメタリンおよびトリフルラリン；ジフェニルエーテル類、たとえば、アシフルオルフェン、ビフェノックス、フルオログリコフェン、ホメサフェン、ハロサフェン、ラクトフェンおよびオキシフルオルフェン；尿素類、たとえば、クロルトルロン、ジウロン、フルメツロン、イソプロツロン、リニュロンおよびメタベンズチアズロン；ヒドロキシルアミン類、たとえば、アロキシジム、クレトジム、シクロキシジム、セトキシジムおよびトラルコキシジム；イミダゾリノン類、たとえば、イマゼタピル、イマザメタベンズ、イマザピルおよびイマザキン；ニトリル類、たとえば、ブロモキシニル、ジクロベニルおよびイオキシニル；オキシアセトアミド類、たとえば、メフェナセット；スルホニル尿素類、たとえばアミドスルフロン、ベンスルフロン−メチル、クロリムロン−エチル、クロルスルフロン、シノスルフロン、メトスルフロン−メチル、ニコスルフロン、プリミスルフロン、ピラゾスルフロン−エチル、チフェンスルフロン−メチル、トリアスルフロンおよびトリベヌロン−メチル；チオカルバメート類、たとえば、ブチレート、シクロエート、ジアレート、ＥＰＴＣ、エスプロカルブ、モリネート、プロスルホカルブおよびトリアラート；トリアジン類、たとえば、アトラジン、シアナジン、シマジン、シメトリン、テルブトリンおよびテルブチラジン；トリアジノン類、たとえば、ヘキサジノン、メタミトロンおよびメトリブジン；その他、たとえば、アミノトリアゾール、ベンフレセート、ベンタゾン、シンメチリン、クロマゾン、クロピラリド、ジフェンゾコート、ジチオピル、エトフメセート、フルオロクロリドン（ｆｌｕｏｒｏｃｈｌｏｒｉｄｏｎｅ）、グルホシネート、グリホサート、イソキサベン、ピリデート、キンクロラック、キンメラック、スルホセート、トリジファン、スルコトリオンおよびプロポキシカルバゾン−ナトリウムである。挙げることができるその他のものは、４−アミノ−ｎ−（１，１−ジメチルエチル）−４，５−ジヒドロ−３−（１−メチルエチル）−５−オキソ−１Ｈ−１，２，４−トリアゾール−１−カルボキサミド、および安息香酸２−（（（（４，５−ジヒドロ−４−メチル−５−オキソ−３−プロポキシ−１Ｈ−１，２，４−トリアゾール−１−イル）カルボニル）アミノ）スルホニル）メチルエステルである。
【００４５】
挙げることができる植物成長調整剤の例は、塩化クロルコリンおよびエテホンである。
【００４６】
本発明による製剤の水性懸濁液中に存在することができる好適な添加剤は、乳化剤、分散剤、ポリビニルアルコール、保護コロイド、消泡剤、防腐剤および増粘剤である。この場合、懸濁液は１種類以上の添加剤を含む。
【００４７】
本発明の目的に好適な乳化剤および分散剤は、好ましくは、界面活性を有する非イオン性および陰イオン性の材料である。
【００４８】
挙げることができる非イオン性乳化剤の例は、名称プルロニックＰＥ１０  １００（Ｐｌｕｒｏｎｉｃ  ＰＥ  １０  １００）（ＢＡＳＦ）、およびアトロックス４９１３（Ａｔｌｏｘ  ４９１３）（Ｕｎｉｑｅｍａ）で知られる製品である。好適な別のものは、トリスチリルフェノールエトキシレートおよびＮ−アルキルピロリドンである。挙げることができる陰イオン性乳化剤の例は、リグノスルホネート、ナフタレンスルホン酸／ホルムアルデヒド縮合物、バイエルＡＧ（Ｂａｙｅｒ  ＡＧ）より市販される名称バイカノールＳＬ（Ｂａｙｋａｎｏｌ  ＳＬ）（＝スルホン化ジトリルエーテルとホルムアルデヒドとの縮合物）、およびリン酸化または硫酸化トリスチリルフェノールエトキシレートであり、特に、ソプロホルＳＬＫ（Ｓｏｐｒｏｐｈｏｒ  ＳＬＫ）およびソプロホル４Ｄ３８４（Ｓｏｐｒｏｐｈｏｒ  ４Ｄ  ３８４）（ローディア（Ｒｈｏｄｉａ））が挙げられる。
【００４９】
保護コロイドは、この目的で植物処理組成物中に従来使用することができるあらゆる材料である。以下のものを使用すると好ましい：
ポリビニルアルコール、リグノスルホネート、セルロース誘導体、アラビアゴム、ポリビニルアルコールとアラビアゴムとの混合物、ポリビニルピロリドン、ポリアクリレート、ポリメタクリレート、ならびにナフタレンスルホン酸とホルムアルデヒドとの縮合物。
【００５０】
好適な増粘剤は、この目的で植物処理組成物中に従来使用することができるあらゆる物質である。好ましくは、ケルザン（Ｋｅｌｚａｎ）（登録商標）（キサンタン系揺変性増粘剤）、シリカおよびアタパルジャイトである。
【００５１】
好適な防腐剤は、この目的で植物処理組成物中に通常存在するあらゆる物質である。挙げることができる例は、プレベントール（Ｐｒｅｖｅｎｔｏｌ）（登録商標）（バイエルＡＧ）およびプロキセル（Ｐｒｏｘｅｌ）（登録商標）である。
【００５２】
好適な消泡剤は、この目的で植物処理組成物中に従来使用することができるあらゆる物質である。好ましくは、ポリジメチルシロキサンなどのシラン誘導体およびステアリン酸マグネシウムを挙げることができる。
【００５３】
本発明による製剤の水性懸濁液は、室温で液体である１種類以上の農芸化学活性化合物をさらに含むことができる。
【００５４】
本発明によるマイクロカプセル製剤の組成は、広い範囲内で変動させることができる。一般に、カプセル化された分散相は、製剤全体を基準にして、１０から４０重量％の間、好ましくは１５から３５重量％の間となる。
【００５５】
マイクロカプセルは、カプセル被膜と、カプセル内容物とからなる。カプセル被膜は、一般に壁の厚さが５から２０ナノメートル（＝ｎｍ）の間であり、好ましくは５から１２ナノメートルの間である。マイクロカプセルの寸法は、ある範囲内で変動させることができる。たとえば、マイクロカプセルの平均粒径は、一般に１から５μｍの間であり、好ましくは２から４μｍの間である。平均粒径は、全粒子の質量の５０％がこの値より小さく、５０％がこの値より大きくなる値として定義される。
【００５６】
カプセル内容物の組成も、同様にある範囲内で変動させることができる。マイクロカプセルの内部は、一般に
−５０から１００重量％の間、好ましくは７０から１００重量％の間の浸透剤を含み、
−０から５０重量％の間、好ましくは０から３０重量％の間の添加剤を含む。
【００５７】
本発明によるマイクロカプセル製剤の水相中の個々の成分の量は、広い範囲で変動させることができる。たとえば、
−固体農芸化学活性化合物の濃度は、一般に５から４０重量％の間、好ましくは１０および３５重量％の量であり、
−添加剤の濃度は、一般に２から１５重量％の間、好ましくは３から１２重量％の間であり、
−水の濃度は、一般に３０から７０重量％の間、好ましくは４０から６０重量％の間であり、
−室温で液体である農芸化学活性化合物の濃度は、一般に０から３５重量％の間、好ましくは０から３０重量％の間である。
【００５８】
本発明によるマイクロカプセル製剤は、
−マイクロカプセル化を最初に実施し、
−得られたマイクロカプセル分散体を、適切な場合には、液相を部分的または完全に除去した後に、
−所望の組成の懸濁液と混合する、という方法によって調製される。
【００５９】
本発明による方法を実施するために好適な成分は、本発明によるマイクロカプセル製剤の説明と関連して好ましいとして既に挙げているあらゆる成分が好ましい。この場合、これらの成分は、結果として得られる製剤中の個々の成分の濃度が前述した範囲内となるような比率の量で使用される。
【００６０】
本発明による方法の第１のステップの手順では、一般に、少なくとも１種類の浸透剤と、少なくとも１種類のポリイソシアネートと、適切である場合には添加剤との混合物を、適切である場合には１種類以上の乳化剤と、水との混合物中にある保護コロイドの水相中で、激しく撹拌することによって分散させる。この場合、浸透剤のイソシアネートに対する比率をある範囲内で変動させることができる。一般に０．００５から０．０５重量部の間、好ましくは０．００５から０．０４重量部の間のイソシアネートが、一般に浸透剤１重量部当たりに使用される。
【００６１】
この混合物を調製する場合、温度をある範囲内で変動させることができる。一般に、この方法は、１０℃から１００℃の間の温度、好ましくは２０℃から９０℃の間の温度で実施される。
【００６２】
本発明による方法の第２のステップでは、第１のステップで調製した分散体を、穏やかに撹拌しながら、少なくとも１種類のジアミン、ポリアミン、ジアルコール、ポリアルコールおよび／またはアミノアルコールで処理し、続いて、開始したマイクロカプセル化が終了するまで撹拌を続ける。
【００６３】
この方法の特定の変形では、第１のステップで、イソシアネートを水と反応させてジアミンまたはポリアミンを生成し、続いて得られたジアミンまたはポリアミンを残留するポリイソシアネートと反応させる。この場合、別々の時点でアミンが供給される。
【００６４】
本発明による方法のこの第２のステップを実施する場合、イソシアネートのアミン成分またはアルカノール成分に対する比率を、ある範囲内で変動させることができる。一般に、０．８から１．５当量のアミン成分またはアルカノール成分が、イソシアネート１モル当たりに使用される。イソシアネートおよびアミンまたはアルカノールの量は、イソシアネート基、およびアミノ基またはヒドロキシル基がそれぞれ等モル量で存在するように選択されることが好ましい。
【００６５】
本発明による方法の第２のステップを実施する場合、反応温度を、ある範囲内で変動させることができる。一般に、この方法は、４０℃から８０℃の間の温度、好ましくは５０℃から７０℃の間の温度で実施される。
【００６６】
本発明による方法の第３のステップでは、先に生成したマイクロカプセル分散体を、直接使用して、またはあらかじめ濃縮したものに、少なくとも１種類の固体農芸化学活性化合物と、添加剤と、および適切である場合には１種類以上の室温で液体である液体農芸化学活性化合物との懸濁液を加えて撹拌する。マイクロカプセル分散体が濃縮される場合、そのような手順は、低温および減圧下で実施されることが好ましい。
【００６７】
本発明による方法の第３のステップで、マイクロカプセル分散体と撹拌される懸濁液は、農芸化学活性化合物の懸濁液濃縮物である。活性化合物以外に、これらの濃縮物は水および添加剤も含む。
【００６８】
この場合、好適な添加剤は、増粘剤、防腐剤、消泡剤および分散剤である。使用が好ましい物質は、本発明によるマイクロカプセル懸濁液の説明と関連して、好ましい増粘剤、防腐剤、消泡剤および分散剤として既に挙げているあらゆる物質である。この場合に好適な農芸化学活性化合物は、本発明によるマイクロカプセル分散体の説明と関連して、水相の農芸化学成分として既に挙げている化合物である。
【００６９】
マイクロカプセル分散体および懸濁液濃縮物を互いに混合することができる比率は、広い範囲内で変動させることができる。一般に、これらの成分は、農芸化学活性化合物１重量部当たりに０．３から４重量部の間、好ましくは０．５から３重量部の間の浸透剤がマイクロカプセル化された形態の中に存在するように使用される。
【００７０】
本発明による方法の第３のステップを実施する場合も、温度をある範囲内で変動させることができる。一般に、この方法は、１０℃から５０℃の間の温度、好ましくは１０℃から４０℃の間の温度で実施される。
【００７１】
一般に、本発明による方法は大気圧下で実施される。
【００７２】
用途に必要なすべての成分が既に存在する本発明によるマイクロカプセル製剤は、上述の方法で調製することができる。しかし、第２のステップの後に、活性化合物懸濁液の濃縮物をマイクロカプセル分散体にさらに加えることは必ずしも必要ではない。代わりに、第２のステップ後に得られたマイクロカプセル分散体を、後の時点で、１種類以上の農芸化学活性化合物の市販の懸濁液に、タンク混合法を使用して加えることもできる。
【００７３】
本発明によるマイクロカプセル製剤は、含有される農芸化学活性化合物を、植物および／またはそれらの環境に適用するのに特に適している。浸透剤が完全に活性となるため、本発明の製剤によって、含有される農芸化学活性化合物が、処理される植物に効率的に浸透する。
【００７４】
本発明によるマイクロカプセル製剤は、そのまま、または水であらかじめ希釈した後のいずれかの実施条件下で使用することができる。この場合、従来方法、すなわち、たとえば注入、散布または噴霧などによって適用が行われる。
【００７５】
本発明によるマイクロカプセル製剤の適用割合を、広い範囲で変動させることができる。これは、対象の農芸化学活性化合物およびマイクロカプセル製剤中のそれらの含有率に依存する。
【００７６】
以下の実施例によって本発明を説明する。
（調製例）
【実施例１】
【００７７】
２１５ｇのラウリン酸エチルヘキシルと、４．８ｇのトルイレンジイソシアネートとの混合物を、２３℃において１分間で、０．５ｇのシリコーン消泡剤との混合物としてのポリビニルアルコール（モウイオール２６−８８（Ｍｏｗｉｏｌ  ２６−８８）（登録商標））の１重量％力価水溶液２２７ｇ中に、１００００ｒｐｍで分散装置を使用して分散させる。その後、ジエチレントリアミンの５０重量％力価水溶液１．９ｇを加える。得られた反応混合物を、穏やかに撹拌しながら、２時間で７０℃に加熱し、７０℃でさらに４時間維持する。続いて混合物を室温まで冷却した後、ケルザンＳ（登録商標）（キサンタン系増粘剤）の２重量％力価水溶液５０ｇと、０．９ｇの防腐剤（プロキセルＧＸＬ（登録商標））とを加える。これによって、ラウリン酸エチルヘキシル含有率が４３重量％であり平均粒径が３．９μｍである５００ｇのマイクロカプセル製剤が得られる。
【実施例２】
【００７８】
２１５ｇのラウリン酸エチルヘキシルと、１０．０ｇのエムルガトールＬ３（Ｅｍｕｌｇａｔｏｒ  Ｌ３）（Ｎ−ドデシルピロリドン）と、６．９ｇのトルイレンジイソシアネートとの混合物を、２３℃において１分間で、０．５ｇのシリコーン消泡剤との混合物としてのポリビニルアルコール（モウイオール２６−８８（登録商標））の１重量％力価水溶液２１７．５ｇ中に、１００００ｒｐｍで分散装置を使用して分散させる。得られた反応混合物を、穏やかに撹拌しながら、２時間で７０℃に加熱し、７０℃でさらに４時間維持する。続いて混合物を室温まで冷却した後、ケルザンＳ（登録商標）（キサンタン系増粘剤）の２重量％力価水溶液５０ｇを加える。これによって、ラウリン酸エチルヘキシル含有率が４３重量％であり平均粒径が２．１μｍである５００ｇのマイクロカプセル製剤が得られる。
【実施例３】
【００７９】
１２９０ｇのナタネ油と、６．４５ｇのレネックス３６（Ｒｅｎｅｘ  ３６）（登録商標）（ポリエチレンオキシドアルキルエーテル）と、２２ｇのトルイレンジイソシアネートとの混合物を、１１℃において１分間で、０．６ｇのシリコーン消泡剤との混合物としてのポリビニルアルコール（モウイオール２６−８８（登録商標））の１重量％力価水溶液１４４２ｇ中に、１００００ｒｐｍで分散装置を使用して分散させる。その後、ジエチレントリアミンの５０重量％力価水溶液８．７ｇを加える。得られた反応混合物を、穏やかに撹拌しながら、１時間で７０℃に加熱し、７０℃でさらに４時間維持する。続いて混合物を室温まで冷却した後、ケルザンＳ（登録商標）（キサンタン系増粘剤）の２重量％力価水溶液２２５ｇと、５．５ｇの防腐剤（プロキセルＧＸＬ（登録商標））とを加える。これによって、ナタネ油含有率が３２重量％であり平均粒径が３．２μｍである３０００ｇのマイクロカプセル製剤が得られる。
【実施例４】
【００８０】
１３５ｇのナタネ油メチルエステルと、０．０７ｇのエムルガトールＬ３（Ｎ−ドデシルピロリドン）と、２．５ｇのトルイレンジイソシアネートとの混合物を、１５℃において１分間で、０．０６ｇのシリコーン消泡剤との混合物としてのポリビニルアルコール（モウイオール２６−８８（登録商標））の１重量％力価水溶液１３８．８ｇ中に、１００００ｒｐｍで分散装置を使用して分散させる。その後、ジエチレントリアミンの５０重量％力価水溶液０．４９ｇを加える。得られた反応混合物を、穏やかに撹拌しながら、１時間で７０℃に加熱し、７０℃でさらに４時間維持する。続いて混合物を室温まで冷却した後、ケルザンＳ（登録商標）（キサンタン系増粘剤）の２重量％力価水溶液１５ｇと、それぞれ０．３ｇのプレベントールＤ２（登録商標）およびプレベントールＤ７（登録商標）（防腐剤）とを加える。これによって、ナタネ油メチルエステル含有率が４５重量％であり平均粒径が２．９μｍである３００ｇのマイクロカプセル製剤が得られる。
【実施例５】
【００８１】
１２０ｇのナタネ油エチルエステルと、４４．７重量％のトルイレンジイソシアネート、３５．３重量％のデスモジュール（Ｄｅｓｍｏｄｕｒ）（登録商標）４４Ｖ２０Ｌ、および２０重量％のソルベッソ２００（登録商標）の溶液３．７１ｇとの混合物を、１５℃において１分間で、０．０６ｇのシリコーン消泡剤との混合物としてのポリビニルアルコール（モウイオール２６−８８（登録商標））の１重量％力価水溶液１５３．１ｇ中に、８０００ｒｐｍで分散装置を使用して分散させる。得られた反応混合物を、穏やかに撹拌しながら、１時間で７０℃に加熱し、７０℃でさらに４時間維持する。続いて混合物を室温まで冷却した後、７．５ｇの水と、ケルザンＳ（登録商標）（キサンタン系増粘剤）の２重量％力価水溶液１５ｇと、それぞれ０．３ｇのプレベントールＤ２（登録商標）およびプレベントールＤ７（登録商標）（防腐剤）とを加える。これによって、ナタネ油エチルエステル含有率が４０重量％であり平均粒径が２．５μｍである３００ｇのマイクロカプセル製剤が得られる。
【実施例６】
【００８２】
１２０ｇのナタネ油エチルエステルと、２．１ｇのトルイレンジイソシアネートと、１．６ｇの４，４’−メチレン−ビス−（シクロヘキシル）イソシアネートとの混合物を、１７℃において１分間で、０．０６ｇのシリコーン消泡剤との混合物としてのポリビニルアルコール（モウイオール２６−８８（登録商標））の１重量％力価水溶液１５３．１ｇ中に、８０００ｒｐｍで分散装置を使用して分散させる。得られた反応混合物を、穏やかに撹拌しながら、１時間で７０℃に加熱し、７０℃でさらに４時間維持する。続いて混合物を室温まで冷却した後、ケルザンＳ（登録商標）（キサンタン系増粘剤）の２重量％力価水溶液２２．５ｇと、それぞれ０．３ｇのプレベントールＤ２（登録商標）およびプレベントールＤ７（登録商標）（防腐剤）とを加える。これによって、ナタネ油エチルエステル含有率が４０重量％であり平均粒径が２．５μｍである３００ｇのマイクロカプセル製剤が得られる。
【実施例７】
【００８３】
１２０ｇのナタネ油エチルエステルと、２．５０ｇのデスモジュールＴ８０（登録商標）（バイエルＡＧ）と、１．２１ｇのヘキサメチレン１，６−ジイソシアネートとの溶液を、２３℃において１分間で、０．０６ｇのシリコーン消泡剤との混合物としてのポリビニルアルコール（モウイオール２６−８８（登録商標））の０．９重量％力価水溶液１５３．１ｇ中に、８０００ｒｐｍ（回転／分）で分散装置を使用して分散させる。この混合物を、穏やかに撹拌しながら、１時間で７０℃に加熱し、７０℃でさらに４時間維持する。続いて混合物を室温まで冷却した後、ケルザンＳ（登録商標）（キサンタン系増粘剤）の２重量％力価水溶液２２．５ｇと、０．６ｇの防腐剤（０．３ｇのプレベントールＤ２（登録商標）および０．３ｇのプレベントールＤ７（登録商標））とを加える。これによって、平均粒径が２．５１μｍであり、平均理論壁厚さ１２ｎｍの３００ｇのマイクロカプセル製剤が得られる。
【実施例８】
【００８４】
４５１ｇのテブコナゾールを、３０ｇのエチレンオキシド／プロピレンオキシドブロックポリマー、１ｇのシリコーン消泡剤、および２９６ｇの水と混合する。この混合物を最初に粗く粉砕し、続いてビーズミルを使用して所望の細かさまで粉砕する。５０ｇのグリセロールと、２ｇの防腐剤（プレベントールＤ７（登録商標））と、ケルザンＳ（登録商標）（キサンタン系増粘剤）の２重量％力価水溶液５０ｇとを加えると、テブコナゾール含有量が５００ｇ／ｌの１０００ｇの懸濁液濃縮物が得られる。
【実施例９】
【００８５】
実施例８の懸濁液濃縮物４０ｇと、実施例７のマイクロカプセル製剤４０ｇと、１０ｇのプロパンジオールと、ケルザンＳ（登録商標）（キサンタン系増粘剤）の２．０重量％力価水溶液４ｇと、０．２ｇの防腐剤（プレベントールＤ７（登録商標））と、５．８ｇの水とを、穏やかに撹拌しながら混合する。これによって、１８重量％のテブコナゾールと１６重量％のナタネ油エチルエステルとを含む１００ｇの製剤が得られる。
【００８６】
（使用例／浸透性試験）
この試験は、酵素的に単離したリンゴの葉のクチクラに対する、活性物質の透過を測定した。
【００８７】
使用した葉は、ゴールデンデリシャス（Ｇｏｌｄｅｎ  Ｄｅｌｉｃｉｏｕｓ）変種のリンゴの木から十分成長しているものを切り取った。クチクラを以下のように単離した：
−最初に、染料で裏面に標識し、打ち抜くことによって作製した葉の円板に、３から４の間のｐＨに緩衝したペクチナーゼ溶液（０．２から２％力価）を、真空浸透によって充填し、
−続いて、アジ化ナトリウムを加え、
−このように処理した葉の円盤を、最初の葉の構造が破壊され非細胞性クチクラが剥離するまで静置した。
【００８８】
続いて、気孔および毛が存在しない葉の表面からのクチクラのみを使用した。これらを、水およびｐＨ７の緩衝液を使用して交互に数回洗浄した。得られた清浄なクチクラを、最後にテフロン板に貼り付け、弱い気流を使用して平滑にして乾燥させた。
【００８９】
次の段階では、この方法で得られたクチクラ膜を、膜輸送を検査するためのステンレス鋼製拡散セル（すなわち、輸送室）に入れた。これらの検査では、拡散セルの端部上でピンセットを使用してクチクラを中央に配置し、これらにはシリコーングリースが塗布されており、同様にグリースが塗布されたリングを使用して封止した。クチクラの形態学的外面が外側、すなわち空気側に向かい、一方、本来の内面が拡散セルの内側に面するように、この配列を選択した。拡散セルに、水、または水と溶媒との混合物を満たした。
【００９０】
浸透性を調べるために、以下に示す組成の９μｍの噴霧液を、各クチクラの外面に適用した。
【００９１】
（噴霧混合物Ａ）
テブコナゾール含有量０．６ｇ／ｌの噴霧混合物が得られるような量の脱塩水を使用して実施例９の製剤１０ｇを希釈する。
【００９２】
（噴霧混合物Ｂ）
テブコナゾール含有量が０．６ｇ／ｌの噴霧混合物が得られるような量の脱塩水を使用して、１０ｇの市販のテブコナゾール懸濁液濃縮物を処理する。
【００９３】
噴霧混合物を適用した後、各場合で水を蒸発させ、各室を裏返して、各場合でクチクラ外面よりも下に飽和硝酸カルシウム四水和物水溶液が入れられたサーモスタット付き容器に入れた。浸透は、相対大気湿度５６％および設定温度２５℃で行った。一定時間ごとに、シリンジで試料を取り出し、浸透した活性化合物量をＨＰＬＣで分析した。
【００９４】
この試験結果を、以下の表に示す。示される値は８回の測定の平均である。
【００９５】
【表１】
2005527608.tif 000009
【国際調査報告】
2005527608.tif 000011
2005527608.tif 000012
2005527608.tif 000013
2005527608.tif 000014
2005527608.tif 000015
2005527608.tif 000016
2005527608.tif 000017
2005527608.tif 000018